(57)【要約】      （修正有）【課題】配管へのブラシの挿入作業を容易にすると共に作業負担を軽減し、作業時間の短縮が可能なブラシ挿入治具を提供する。【解決手段】熱交換器又は復水器の冷却水用の配管２００内に清掃用のブラシ１を挿入するために使用するブラシ挿入治具２である。ブラシ挿入治具２は、ブラシ１を配管２００内へ押し込むための押し込み部材３と、押し込み部材３をブラシ押し込み方向へガイドするガイド部材４とを備える。【選択図】図５
0003185450.tif 000002
【実用新案登録請求の範囲】
【請求項１】
熱交換器又は復水器の冷却水用の配管内に清掃用のブラシを挿入するために使用するブラシ挿入治具であって、
前記ブラシを前記配管内へ押し込むための押し込み部材と、
前記押し込み部材をブラシ押し込み方向へガイドするガイド部材とを備えたことを特徴とするブラシ挿入治具。
【請求項２】
前記ガイド部材を、円筒状に形成し、
前記押し込み部材を、前記ガイド部材の内周面に沿ってガイド可能に構成した請求項１に記載のブラシ挿入治具。
【請求項３】
前記押し込み部材の後端部に、前記ガイド部材の後端部に当接するストッパを設け、
前記ストッパの前記ガイド部材との当接面から前記押し込み部材の先端面までの長さを、前記ガイド部材の長さよりも所定寸法長く設定した請求項２に記載のブラシ挿入治具。
【請求項４】
前記押し込み部材の外周面と前記ガイド部材の内周面に、それぞれ、前記ガイド部材に対する前記押し込み部材の抜けを防止する段差部を設けた請求項２又は３に記載のブラシ挿入治具。
【考案の詳細な説明】
【技術分野】
【０００１】
本考案は、熱交換器又は復水器の冷却水用の配管内に清掃用のブラシを挿入するために使用するブラシ挿入治具に関する。
【背景技術】
【０００２】
発電所等で使用される熱交換器又は復水器には、蒸気を冷却するために冷却水としての海水を通過させる多数の配管が設けてある。この配管の内周面に、貝類や藻類等の海生物、砂や水垢等が付着すると、冷却効率が低下することから、定期的に配管内の清掃を行っている。この種の配管の清掃方法の１つとして、配管内に挿入したブラシを水圧によって配管内で移動させる方法が提案されている（下記特許文献１参照）。
【０００３】
具体的に、作業者は、まず、直径２５ｍｍ程度の清掃用ブラシ１を、指や手のひらで押し込んで、配管２００内に挿入する（図９（ａ）参照）。次いで、軟らかいプラスチックハンマー等で、配管開口部の周辺壁面（管板）を傷付けないように、ブラシ１を叩き入れる（図９（ｂ）参照）。そして、配管内に洗浄水ガンのノズル先端を差し込むため、洗浄水ガンのノズル先端でブラシ１の後端部を配管開口端部から約５ｍｍ程度押し込んだ状態にする（図９（ｃ）参照）。その後、洗浄水ガンから高圧水を噴射し、その水圧によってブラシ１を配管２００の一端側から他端側へ移動させ、配管２００内の付着物を除去する。
【先行技術文献】
【特許文献】
【０００４】
【特許文献１】特開２００２−３１６１１３号公報
【考案の概要】
【考案が解決しようとする課題】
【０００５】
上記のように、現状では、ブラシを配管内に挿入する際、作業者が指や手のひらで押し込むようにしているが、ブラシが硬く、配管とブラシとの間の摩擦も大きいため、指や手のひらが痛くなり、多くのブラシの押し込み作業を継続して行うことができないといった問題がある。
【０００６】
また、指や手のひらでブラシを押し込むと、ブラシの中心軸が配管の中心軸に対してずれた状態で挿入される場合があり、中心軸がずれた状態のブラシをプラスチックハンマー等で叩くと、安定して叩くことができず、誤ってその周辺壁面（管板）を叩いてしまうことがある。また、本作業は、復水器等の水室内に設置した仮設足場上で行う高所作業であるため、プラスチックハンマー等でブラシを叩き入れる方法は作業品質や作業安全上好ましくない。
【０００７】
また、上記のように、ブラシの挿入作業は、（１）指や手のひらによるブラシの挿入作業と、（２）プラスチックハンマー等でブラシを叩き入れる作業と、（３）洗浄水ガンのノズル先端によるブラシ押し込み作業の、３ステップの一連の作業が必要であり、かなりの作業時間と工数を要するので、作業効率の改善が望まれる。
【０００８】
そこで、本考案は前述の問題点に鑑みて提案されたもので、その目的とするところは、配管へのブラシの挿入作業を容易にすると共に作業負担を軽減し、作業時間の短縮が可能なブラシ挿入治具を提供することにある。
【課題を解決するための手段】
【０００９】
上記課題を解決するため、本考案のブラシ挿入治具は、清掃用のブラシを復水器の配管内に挿入するために使用するブラシ挿入治具であって、前記ブラシを前記配管内へ押し込むための押し込み部材と、前記押し込み部材をブラシ押し込み方向へガイドするガイド部材とを備えたことを特徴とするものである。
【００１０】
押し込み部材の先端部をブラシの後端部に当て、ガイド部材に沿って押し込み部材を押し込むことで、ブラシを配管内に挿入することができる。このとき、ガイド部材によって押し込み部材が押し込み方向にガイドされるため、安定的かつ精度良くブラシを挿入することができる。
【００１１】
また、前記ガイド部材を、円筒状に形成し、前記押し込み部材を、前記ガイド部材の内周面に沿ってガイド可能に構成することで、押し込み部材を安定してガイドすることができ、作業品質が向上する。
【００１２】
また、前記押し込み部材の後端部に、前記ガイド部材の後端部に当接するストッパを設け、前記ストッパの前記ガイド部材との当接面から前記押し込み部材の先端面までの長さを、前記ガイド部材の長さよりも所定寸法長く設定した場合は、押し込み部材を、ストッパがガイド部材の後端部に当接するまで押し込むと、押し込み部材の先端面がガイド部材の先端面から所定寸法突出した状態となる。このように設定されたブラシ挿入治具を用いてブラシを挿入すると、ブラシの後端面が配管の開口部から所定寸法だけ押し込まれた位置に配置されるため、洗浄水ガンのノズル先端でブラシを押し込む作業を行う必要がなくなる。
【００１３】
また、前記押し込み部材の外周面と前記ガイド部材の内周面に、それぞれ、前記ガイド部材に対する前記押し込み部材の抜けを防止する段差部を設けてもよい。この場合、押し込み部材とガイド部材との分離を防止することができるので、ブラシ挿入治具を片手で持って扱うことができ、作業性に優れるようになる。
【考案の効果】
【００１４】
本考案によれば、ガイド部材によって押し込み部材を押し込み方向にガイドするだけで、ブラシを配管内に挿入することができ、配管へのブラシの挿入作業を容易に行うことができる。また、本考案に係るブラシ挿入治具を用いれば、ブラシをプラスチックハンマーで叩き入れる作業を要しないので、作業効率が向上し、作業時間の短縮を図れると共に、配管開口部の周辺壁面を叩く虞もない。さらに、安定的かつ精度良くブラシを挿入することができるので、作業品質が向上し、高所作業における安全性も向上する。
【００１５】
また、従来は、プラスチックハンマーで叩くために、ブラシを配管にしっかりと仮挿入する必要があったが、本考案に係るブラシ挿入治具を用いた場合、作業者は、ブラシが配管から脱落しない程度に仮挿入すればよいので、従来よりも軽い力で押し込むだけで足りる。これにより、手にかかる負担を軽減でき、作業を継続して行えるようになる。
【図面の簡単な説明】
【００１６】
【図１】復水器の概略構成図である。
【図２】配管端部を入口水室側又は出口水室側から見た図である。
【図３】清掃用ブラシの構成を示す図である。
【図４】本考案のブラシ挿入治具の実施の一形態を示す図である。
【図５】ブラシ挿入方法を説明するための図である。
【図６】複数の配管にブラシを仮挿入してからブラシ挿入治具を用いる挿入方法を示す図である。
【図７】ブラシ挿入治具をセットした状態を配管の軸方向から見た図である。
【図８】押し込み部材とガイド部材とを互いに分離可能に構成したブラシ挿入治具を示す図である。
【図９】従来のブラシ挿入方法を示す図である。
【考案を実施するための形態】
【００１７】
以下、本考案の内容について説明する。
【００１８】
図１は、復水器の概略構成図である。
図１に示すように、火力発電所や原子力発電所等に設置される復水器１００には、冷却水としての海水を通過させる多数の配管２００が設けられている。各配管２００は、入口水室１０１から出口水室１０２へ互いに間隔を介して配置されており、各配管２００に海水を通過させることで、図示しない蒸気タービンで仕事を終えた排気蒸気を凝縮させて復水とし、再び系統内に戻すようにしている。
【００１９】
図２は、上記配管端部を入口水室側又は出口水室側から見た図である。
図２に記載の小さい丸は、多数の配管２００の開口部を示している。このように、復水器１００には多数の配管２００が規則的に設けられており、中には、１水室に約１８０００本もの配管を有するものもある。
【００２０】
図３は、上記配管を清掃するのに用いる清掃用ブラシの構成を示す図である。
図３に示すように、ブラシ１は、軸状の芯材１１と、この芯材１１の外周面に多数本植毛されたブラシ繊維１２とで構成されている。芯材１１の最大外径寸法（ここでは後端面１１ｂ１の外形寸法）Ｄ１は、上記配管２００の内径寸法ｄ１（図１参照）よりも僅かに大きく設定されている。また、ブラシ繊維部分の外径Ｄ２も、配管２００の内径ｄ１よりも僅かに大きく設定されている。
【００２１】
図４は、本考案のブラシ挿入治具の実施の一形態を示す図である。
図４に示すように、ブラシ挿入治具２は、棒状の押し込み部材３と、円筒状のガイド部材４とを備える。押し込み部材３は、ガイド部材４内に挿入されており、ガイド部材４の内周面に沿って軸方向にスライド移動可能となっている。押し込み部材３の先端部３ａは、先端面３ａ１に向かってテーパ状に縮径しており、先端面３ａ１は、軸方向に対して垂直な垂直面となっている。また、ガイド部材４の先端面４ａ１も、軸方向に対して垂直な垂直面となっている。
【００２２】
押し込み部材３の後端部３ｂには、ガイド部材４の内径よりも径方向に大きく形成されたストッパ３ｃが設けられている。押し込み部材３をガイド部材４の先端側へ押し込むと、ストッパ３ｃがガイド部材４の後端面４ｃ１と当接するようになっている。ここで、ストッパ３ｃのガイド部材４との当接面３ｃ１から押し込み部材３の先端面３ａ１までの長さをＬ１、ガイド部材４の後端面４ｃ１から先端面４ａ１までの長さをＬ２とすると、Ｌ１はＬ２よりも所定寸法αだけ長く設定されている（Ｌ１＝Ｌ２＋α）。
【００２３】
また、押し込み部材３の外周面とガイド部材４の内周面には、それぞれ、ガイド部材４に対する押し込み部材３の抜け（図４の右方向への脱落）を防止する段差部３ｄ，４ｄが設けられている。また、ガイド部材４の先端部４ａ側の内径寸法ｄ２は、上記ブラシ１の芯材１１の最大外径寸法Ｄ１よりも僅かに大きく設定され、前記先端部４ａ側の内径寸法ｄ２になるまでの部分が後端面４ｃ１側に僅かな勾配となっており、ブラシ１をガイド部材４の先端部４ａ側に挿入可能となっている。
【００２４】
以下、本実施形態のブラシ挿入治具を用いたブラシの挿入方法について説明する。
まず、図５（ａ）に示すように、配管２００の開口部に、ブラシ１の先端部側を手で軽く押し込んで仮挿入する。なお、この段階では、ブラシ１は全部挿入されておらず、後端部側が配管２００の開口部から突出した状態で挿入されている。次いで、図５（ｂ）に示すように、配管２００から突出するブラシ１の後端部に、ガイド部材４の先端部４ａを被せるように位置合わせし、ガイド部材４の先端面４ａ１を管板３００に当接させる。そして、図５（ｃ）に示すように、ストッパ３ｃの部分を手のひらなどで押し、押し込み部材３をスライド移動させ、ブラシ１を配管２００内へ押し込む。このとき、ガイド部材４の先端面４ａ１を管板３００に当接させた状態で保持することで、配管２００の軸方向とガイド部材４の軸方向とが平行となるので、ブラシ１を配管２００の軸方向に沿って（軸ずれすることなく）スムーズに挿入することができる。
【００２５】
また、押し込み部材３が押し込まれると、ストッパ３ｃがガイド部材４の後端面４ｃ１に当接することで、それ以上の押し込みが規制される。この状態で、ブラシ１の挿入が完了する。上記のように、本実施形態では、押し込み部材３の長さＬ１をガイド部材４の長さＬ２よりも所定寸法αだけ長く設定しているので、ブラシ１の挿入が完了した状態では、図５（ｃ）に示すように、ブラシ１の後端面１１ｂ１が、配管２００の開口部から所定寸法αだけ押し込まれた位置に配置される。この所定寸法αは、例えば５ｍｍであり、洗浄水ガンのノズル先端を配管２００の開口部に挿入する長さである。
【００２６】
その後、従来と同様に、洗浄水ガンのノズル先端を、ブラシ１が挿入された配管２００に差し込み、洗浄水ガンから高圧水を噴射する。この水圧によってブラシ１が配管２００の奥へと進入し、反対側の開口部から抜け出ることで、配管２００内の付着物が除去される。
【００２７】
また、図６に示すように、複数のブラシ１を、互いに隣り合う複数の配管２００に仮挿入しておき、それから、仮挿入されたブラシ１を１つずつブラシ挿入治具２を用いて挿入してもよい。ただし、この場合、ガイド部材４を、互いに隣り合う配管２００に仮挿入されたブラシ１と干渉しない径寸法に形成する必要がある。具体的には、図７において、ガイド部材４の外径半径をＲ１、互いに隣り合う配管２００同士の中心間距離をＸ、ブラシ１の芯材１１の最大外径半径をｒ２とすると、Ｒ１＜Ｘ−ｒ２の関係となるようにガイド部材４の外径半径Ｒ１を設定する。これにより、ガイド部材４を、仮挿入された周囲のブラシ１と干渉せずに、目的のブラシ１に被せることができ、ブラシ挿入作業を円滑に行うことができる。
【００２８】
また、本実施形態では、押し込み部材３とガイド部材４が、ガイド部材４に対する押し込み部材３の抜けを防止する段差部３ｄ，４ｄを有しているので、押し込み部材３とガイド部材４とが一体となっており、押し込み部材３とガイド部材４とが分離しない。このため、ブラシ挿入治具２を片手で持ってブラシ１に対し位置合わせでき、作業性に優れる。
【００２９】
なお、図８に示す実施形態のように、抜け防止用の段差部３ｄ，４ｄをなくし、押し込み部材３とガイド部材４とを互いに分離可能に構成してもよい。この場合も、上記実施形態と同様の手順で使用することが可能である。また、この場合、ガイド部材４の後端部側からブラシ１を挿入してセットし、そのセットしたブラシ１をさらに押し込み部材３で押し込んで、配管２００内に挿入することも可能である。
【００３０】
以上のように、本考案に係るブラシ挿入治具によれば、配管に仮挿入されたブラシに、ガイド部材の先端部を被せるように位置合わせし、押し込み部材を押し込むだけで、ブラシを配管内に簡単に挿入することができる。また、本考案によれば、ブラシをプラスチックハンマーで叩き入れる作業を要しないので、作業効率が向上し、作業時間の短縮を図れる。また、プラスチックハンマーで配管開口部の周辺壁面（管板）を叩く虞もない。さらに、ガイド部材によって押し込み部材が押し込み方向にガイドされることで、安定的かつ精度良くブラシを挿入することができる。これにより、作業品質が向上し、高所作業における安全性も向上する。
【００３１】
また、上記実施形態のように、押し込み部材の長さＬ１をガイド部材の長さＬ２よりも所定寸法αだけ長く設定することで、ブラシを、その後端面が配管の開口部から所定寸法αだけ押し込まれた位置まで挿入することができ、洗浄水ガンのノズル先端でブラシを押し込む作業を行う必要がなくなる。
【００３２】
また、従来は、プラスチックハンマーで叩くために、ブラシを配管にしっかりと仮挿入する必要があったが、本考案に係るブラシ挿入治具を用いた場合、作業者は、ブラシが配管から脱落しない程度に仮挿入を行えばよいので、従来よりも軽い力で押し込むだけで足りる。これにより、手にかかる負担を軽減でき、作業を継続して行えるようになる。特に、上記のように、径方向に大きく形成されたストッパを手で押すようにすることで、手にかかる負担を一層軽減することが可能である。
【００３３】
なお、本考案に係るブラシ挿入治具は、上記のような火力発電所や原子力発電所等に設置される復水器の配管清掃に用いられるブラシに限らず、その他の復水器あるいは熱交換器に設けられた配管の清掃に用いられるブラシの挿入作業においても用いることが可能である。また、本考案は前述した実施形態に何ら限定されるものではなく、本考案の要旨を逸脱しない範囲内において、さらに種々なる形態で実施し得ることは勿論のことであり、本考案の範囲は、実用新案登録請求の範囲によって示され、さらに実用新案登録請求の範囲に記載の均等の意味、及び範囲内のすべての変更を含む。
【符号の説明】
【００３４】
１      ブラシ
２      ブラシ挿入治具
３      押し込み部材
３ｃ    ストッパ
３ｄ    段差部
４      ガイド部材
４ｄ    段差部
１００  復水器
２００  配管
【図１】
0003185450.tif 000003
【図２】
0003185450.tif 000004
【図３】
0003185450.tif 000005
【図４】
0003185450.tif 000006
【図５】
0003185450.tif 000007
【図６】
0003185450.tif 000008
【図７】
0003185450.tif 000009
【図８】
0003185450.tif 000010
【図９】
0003185450.tif 000011